(57)【特許請求の範囲】
【請求項１】
無線端末と無線通信する基地局装置であって、
前記基地局装置の圏内に存在する無線端末のモードを判断する判断部と、
前記判断部の判断結果に基づき、前記無線端末と通信可能な期間と前記無線端末と通信不可能な期間とを交互に設ける第１モードを設定し、前記判断結果に基づき、前記通信不可能な期間の長さを設定する設定部と、
を具備し、
前記判断部が、前記圏内に前記基地局装置と接続され常時通信可能なノーマルモードの無線端末が存在すると判断した場合、前記設定部は、無線端末と常時通信可能な第２モードを設定し、
前記判断部が、前記圏内に前記ノーマルモードの無線端末が存在しないと判断した場合、前記設定部は、前記第１モードを設定し、
前記設定部が前記第１モードを設定している場合であって、
前記判断部が、前記圏内に前記基地局装置と接続され間欠的に通信可能なスリープモードの無線端末が存在すると判断した場合、前記設定部は、前記通信不可能な期間を第１の長さに設定し、
前記判断部が、前記圏内に前記スリープモードの無線端末が存在しないと判断した場合、前記設定部は、前記通信不可能な期間を前記第１の長さより長い第２の長さに設定する基地局装置。
【請求項２】
無線端末と無線通信する基地局装置であって、
前記基地局装置の圏内に存在する無線端末のモードを判断する判断部と、
前記判断部の判断結果に基づき、前記無線端末と通信可能な期間と前記無線端末と通信不可能な期間とを交互に設ける第１モードを設定し、前記判断結果に基づき、前記通信不可能な期間の長さを設定する設定部と、
を具備し、
前記判断部が、前記圏内に前記基地局装置と接続され常時通信可能なノーマルモードの無線端末が存在すると判断した場合、前記設定部は、無線端末と常時通信可能な第２モードを設定し、
前記判断部が、前記圏内に前記ノーマルモードの無線端末が存在しないと判断した場合、前記設定部は、前記第１モードを設定し、
前記設定部が前記第１モードを設定している場合であって、
前記判断部が、前記圏内に前記基地局装置と接続されていないアイドルモードの無線端末が存在すると判断した場合、前記設定部は、前記通信不可能な期間を第１の長さに設定し、
前記判断部が、前記圏内に前記アイドルモードの無線端末が存在しないと判断した場合、前記設定部は、前記通信不可能な期間を前記第１の長さより長い第２の長さに設定する基地局装置。
【請求項３】
前記判断部は、無線端末が属するエリアを更新するための位置更新要求を受信した場合、前記圏内に前記アイドルモードの無線端末が存在すると判断する請求項２記載の基地局装置。
【請求項４】
前記判断部が、前記圏内の前記ノーマルモードの無線端末が他の基地局にハンドオーバし、かつ前記圏内に他のノーマルモードの無線端末が存在しないと判断した場合、前記設定部は、前記第１モードを設定する請求項１または２記載の基地局装置。
【請求項５】
前記判断部が、前記圏内の前記ノーマルモードの無線端末が前記スリープモードに変化したと判断し、かつ前記圏内に他のノーマルモードの無線端末が存在しないと判断した場合、前記判断部は前記圏内に前記スリープモードの無線端末が存在すると判断する請求項１記載の基地局装置。
【請求項６】
前記判断部が、前記圏内の前記ノーマルモードの無線端末が前記アイドルモードに変化したと判断し、かつ前記圏内に他のノーマルモードの無線端末が存在しないと判断した場合、前記判断部は、前記アイドルモードの無線端末が存在すると判断する請求項２記載の基地局装置。
【請求項７】
無線端末と、前記無線端末と無線通信する基地局装置と、を具備し、
前記基地局装置は、
前記基地局装置の圏内に存在する無線端末のモードを判断する判断部と、
前記判断部の判断結果に基づき、前記無線端末と通信可能な期間と前記無線端末と通信不可能な期間とを交互に設ける第１モードを設定し、前記判断結果に基づき、前記通信不可能な期間の長さを設定する設定部と、
を備え、
前記判断部が、前記圏内に前記基地局装置と接続され常時通信可能なノーマルモードの無線端末が存在すると判断した場合、前記設定部は、無線端末と常時通信可能な第２モードを設定し、
前記判断部が、前記圏内に前記ノーマルモードの無線端末が存在しないと判断した場合、前記設定部は、前記第１モードを設定し、
前記設定部が前記第１モードを設定している場合であって、
前記判断部が、前記圏内に前記基地局装置と接続され間欠的に通信可能なスリープモードの無線端末が存在すると判断した場合、前記設定部は、前記通信不可能な期間を第１の長さに設定し、
前記判断部が、前記圏内に前記スリープモードの無線端末が存在しないと判断した場合、前記設定部は、前記通信不可能な期間を前記第１の長さより長い第２の長さに設定する通信システム。
【請求項８】
無線端末と、前記無線端末と無線通信する基地局装置と、を具備する通信システムの制御方法であって、
前記基地局装置の圏内に存在する無線端末のモードを判断するステップと、
前記判断結果に基づき、前記無線端末と通信可能な期間と前記無線端末と通信不可能な期間とを交互に設ける第１モードを設定するステップと、
前記判断結果に基づき、前記通信不可能な期間の長さを設定するステップと、
を含み、
前記モードを判断するステップにおいて、前記圏内に前記基地局装置と接続され常時通信可能なノーマルモードの無線端末が存在すると判断した場合、無線端末と常時通信可能な第２モードを設定し、
前記モードを判断するステップにおいて、前記圏内に前記ノーマルモードの無線端末が存在しないと判断した場合、前記第１モードを設定し、
前記第１モードが設定されている場合であって、
前記モードを判断するステップにおいて、前記圏内に前記基地局装置と接続され間欠的に通信可能なスリープモードの無線端末が存在すると判断した場合、前記通信不可能な期間を第１の長さに設定し、
前記モードを判断するステップにおいて、前記圏内に前記スリープモードの無線端末が存在しないと判断した場合、前記通信不可能な期間を前記第１の長さより長い第２の長さに設定する通信システムの制御方法。
【請求項９】
無線端末と、前記無線端末と無線通信する基地局装置と、を具備し、
前記基地局装置は、
前記基地局装置の圏内に存在する無線端末のモードを判断する判断部と、
前記判断部の判断結果に基づき、前記無線端末と通信可能な期間と前記無線端末と通信不可能な期間とを交互に設ける第１モードを設定し、前記判断結果に基づき、前記通信不可能な期間の長さを設定する設定部と、
を備え、
前記判断部が、前記圏内に前記基地局装置と接続され常時通信可能なノーマルモードの無線端末が存在すると判断した場合、前記設定部は、無線端末と常時通信可能な第２モードを設定し、
前記判断部が、前記圏内に前記ノーマルモードの無線端末が存在しないと判断した場合、前記設定部は、前記第１モードを設定し、
前記設定部が前記第１モードを設定している場合であって、
前記判断部が、前記圏内に前記基地局装置と接続されていないアイドルモードの無線端末が存在すると判断した場合、前記設定部は、前記通信不可能な期間を第１の長さに設定し、
前記判断部が、前記圏内に前記アイドルモードの無線端末が存在しないと判断した場合、前記設定部は、前記通信不可能な期間を前記第１の長さより長い第２の長さに設定する通信システム。
【請求項１０】
無線端末と、前記無線端末と無線通信する基地局装置と、を具備する通信システムの制御方法であって、
前記基地局装置の圏内に存在する無線端末のモードを判断するステップと、
前記判断結果に基づき、前記無線端末と通信可能な期間と前記無線端末と通信不可能な期間とを交互に設ける第１モードを設定するステップと、
前記判断結果に基づき、前記通信不可能な期間の長さを設定するステップと、
を含み、
前記モードを判断するステップにおいて、前記圏内に前記基地局装置と接続され常時通信可能なノーマルモードの無線端末が存在すると判断した場合、無線端末と常時通信可能な第２モードを設定し、
前記モードを判断するステップにおいて、前記圏内に前記ノーマルモードの無線端末が存在しないと判断した場合、前記第１モードを設定し、
前記第１モードが設定されている場合であって、
前記モードを判断するステップにおいて、前記圏内に前記基地局装置と接続されていないアイドルモードの無線端末が存在すると判断した場合、前記通信不可能な期間を第１の長さに設定し、
前記モードを判断するステップにおいて、前記圏内に前記アイドルモードの無線端末が存在しないと判断した場合、前記通信不可能な期間を前記第１の長さより長い第２の長さに設定する通信システムの制御方法。
【発明の詳細な説明】
【技術分野】
【０００１】
本発明は、基地局装置、通信システムおよび通信システムの制御方法に関する。
【背景技術】
【０００２】
近年、セルラー網やＷｉＭＡＸ（ＩＥＥＥ８０２．１６）のように広域をカバーする無線通信システムの開発が進められている。このような無線通信システムの基地局（マクロ基地局）の無線通信エリアとともに、例えば、マクロ基地局より狭い無線通信エリアであるファムトセル（Ｆｅｍｔｏ  Ｃｅｌｌ）を設けるシステムが開発されている。フェムトセルシステムは、マクロ基地局だけを設置した場合に生じる電波不感エリアを解消することや、より無線通信エリアを拡大するためのシステムである。フェムトセルシステムにおいては、加入者宅やビル等の建物内に小型のフェムト基地局を設置する。【０００３】
フェムト基地局と無線端末との通信による電磁波が周辺に与える干渉を低減するために、フェムト基地局が、一時的に無線信号を送信しない休止期間を設ける技術が知られている（例えば、非特許文献１）
【先行技術文献】
【非特許文献】
【０００４】
【非特許文献１】Ｐ８０２．１６ｍ／Ｄ２  Ｏｃｔｏｂｅｒ  ２００９
【発明の概要】
【発明が解決しようとする課題】
【０００５】
このように、電磁波が周辺に与える影響を少なくするため、休止期間を設ける基地局においては、休止期間内は無線端末と基地局との通信が行なわれない。このため、無線端末から基地局への信号の送信が遅延する。これにより、通信品質の劣化が生じる場合がある。一方、休止期間が短い場合、無線端末から基地局への信号の送信は遅延しないが、電磁波が周辺に与える影響は大きくなる。【０００６】
基地局装置、通信システムおよび通信システムの制御方法は、適切な休止期間を設定することを目的とする。
【課題を解決するための手段】
【０００７】
例えば、無線端末と無線通信する基地局装置であって、前記基地局装置の圏内に存在する無線端末のモードを判断する判断部と、前記判断部の判断結果に基づき、前記無線端末と通信可能な期間と前記無線端末と通信不可能な期間とを交互に設ける第１モードを設定し、前記判断結果に基づき、前記通信不可能な期間の長さを設定する設定部と、を具備し、前記判断部が、前記圏内に前記基地局装置と接続され常時通信可能なノーマルモードの無線端末が存在すると判断した場合、前記設定部は、無線端末と常時通信可能な第２モードを設定し、前記判断部が、前記圏内に前記ノーマルモードの無線端末が存在しないと判断した場合、前記設定部は、前記第１モードを設定し、前記設定部が前記第１モードを設定している場合であって、前記判断部が、前記圏内に前記基地局装置と接続され間欠的に通信可能なスリープモードの無線端末が存在すると判断した場合、前記設定部は、前記通信不可能な期間を第１の長さに設定し、前記判断部が、前記圏内に前記スリープモードの無線端末が存在しないと判断した場合、前記設定部は、前記通信不可能な期間を前記第１の長さより長い第２の長さに設定する基地局装置を用いる。
【０００８】
例えば、無線端末と、前記無線端末と無線通信する基地局装置と、を具備し、前記基地局装置は、前記基地局装置の圏内に存在する無線端末のモードを判断する判断部と、前記判断部の判断結果に基づき、前記無線端末と通信可能な期間と前記無線端末と通信不可能な期間とを交互に設ける第１モードを設定し、前記判断結果に基づき、前記通信不可能な期間の長さを設定する設定部と、を備え、前記判断部が、前記圏内に前記基地局装置と接続され常時通信可能なノーマルモードの無線端末が存在すると判断した場合、前記設定部は、無線端末と常時通信可能な第２モードを設定し、前記判断部が、前記圏内に前記ノーマルモードの無線端末が存在しないと判断した場合、前記設定部は、前記第１モードを設定し、前記設定部が前記第１モードを設定している場合であって、前記判断部が、前記圏内に前記基地局装置と接続され間欠的に通信可能なスリープモードの無線端末が存在すると判断した場合、前記設定部は、前記通信不可能な期間を第１の長さに設定し、前記判断部が、前記圏内に前記スリープモードの無線端末が存在しないと判断した場合、前記設定部は、前記通信不可能な期間を前記第１の長さより長い第２の長さに設定する通信システムを用いる。
【０００９】
例えば、無線端末と、前記無線端末と無線通信する基地局装置と、を具備する通信システムの制御方法であって、前記基地局装置の圏内に存在する無線端末のモードを判断するステップと、前記判断結果に基づき、前記無線端末と通信可能な期間と前記無線端末と通信不可能な期間とを交互に設ける第１モードを設定するステップと、前記判断結果に基づき、前記通信不可能な期間の長さを設定するステップと、を含み、前記モードを判断するステップにおいて、前記圏内に前記基地局装置と接続され常時通信可能なノーマルモードの無線端末が存在すると判断した場合、無線端末と常時通信可能な第２モードを設定し、前記モードを判断するステップにおいて、前記圏内に前記ノーマルモードの無線端末が存在しないと判断した場合、前記第１モードを設定し、前記第１モードが設定されている場合であって、前記モードを判断するステップにおいて、前記圏内に前記基地局装置と接続され間欠的に通信可能なスリープモードの無線端末が存在すると判断した場合、前記通信不可能な期間を第１の長さに設定し、前記モードを判断するステップにおいて、前記圏内に前記スリープモードの無線端末が存在しないと判断した場合、前記通信不可能な期間を前記第１の長さより長い第２の長さに設定する通信システムの制御方法を用いる。
【発明の効果】
【００１１】
本基地局装置、通信システムおよび通信システムの制御方法によれば、適切な休止期間を設定することができる。
【図面の簡単な説明】
【００１２】
【図１】図１は、実施例１に係る通信システムを含むシステムのブロック図である。
【図２】図２（ａ）および図２（ｂ）は、第１モードにおける基地局装置２０の無線端末１０への送信信号のレベルのタイムチャートである。
【図３】図３（ａ）および図３（ｂ）は、それぞれ基地局装置２０および無線端末１０のブロック図である。
【図４】図４は、基地局装置２０が第１モードに設定されているときの通信システムのブロック図である。
【図５】図５は、基地局装置２０の処理を示すフローチャートである。
【図６】図６は、実施例２に係る通信システムの模式図である。
【図７】図７は、管理テーブルの一例を示す図である。
【図８】図８は、実施例３に係るシステムの模式図である。
【図９】図９は、実施例３に係る通信システムのシーケンス図である。
【図１０】図１０は、実施例４に係る通信システムの模式図である。
【図１１】図１１は、実施例４に係る通信システムのシーケンス図である。
【図１２】図１２は実施例５に係る通信システムの模式図である。
【図１３】図１３は、実施例５に係る通信システムのシーケンス図である。
【図１４】図１４は、実施例５に係る通信システムの別のシーケンス図である。
【図１５】図１５は、実施例６に係る通信システムの模式図である。
【図１６】図１６は、実施例６に係る通信システムのシーケンス図である。
【図１７】図１７は、実施例６に係る通信システムの別のシーケンス図である。
【図１８】図１８は、実施例７に係る通信システムの模式図である。
【図１９】図１９は、実施例７に係る通信システムのシーケンス図である。
【図２０】図２０は、実施例８に係る基地局装置２０の機能ブロック図である。
【図２１】図２１は、実施例８に係る無線端末１０の機能ブロック図である。
【図２２】図２２は、実施例８の基地局装置２０の処理を示すフローチャート（その１）である。
【図２３】図２３は、実施例８の基地局装置２０の処理を示すフローチャート（その２）である。
【図２４】図２４は、実施例８の無線端末の処理を示すフローチャートである。
【発明を実施するための形態】
【００１３】
以下、図面を参照に実施例を説明する。
【実施例１】
【００１４】
図１は、実施例１に係る通信システムを含むシステムのブロック図である。図１のように、基地局装置３０のセルＣ０内に基地局装置２０が配置されている。基地局装置３０は、例えばマクロ基地局であり、基地局装置２０は、例えばフェムト基地局である。無線端末１０は、セルＣ０内で基地局装置３０と通信Ｒ０を行なうことがきる。また、無線端末１０は、基地局装置２０のセルＣ１内で基地局装置２０と通信Ｒ１を行なうことができる。基地局装置２０は、ネットワークＮ１を介しネットワークＮ０に接続されている。基地局装置３０は、ネットワークＮ０と接続されている。ネットワークＮ０には管理装置４０が接続されている。また、ネットワークＮ０には、他のネットワーク等を介し、例えば無線端末が接続されている。または、例えばアプリケーションサーバが接続されている。ネットワークＮ１は、例えばインターネットワークであり、ネットワークＮ０は、例えば通信システムのキャリアのネットワークである。【００１５】
実施例１では、基地局装置２０には、第１モードと第２モードとの２つのモードを設定することができる。第１モードは、無線端末１０が一時的に休止期間を設けるモードであり、例えば、低位動作モード（Low-duty Operation Mode）である。第１モードでは、無線端末１０と通信可能な第１期間と無線端末と通信不可能な休止期間（以下、第２期間ともいう）とが交互に設けられる。第２モードは、基地局装置２０が無線端末１０と常時通信可能なモードである。すなわち、無線端末１０はいつでも基地局装置２０と通信することができる。【００１６】
図２（ａ）および図２（ｂ）は、第１モードにおける基地局装置２０の無線端末１０への送信信号のレベルのタイムチャートである。図２（ａ）のように、第１期間ＡＩと第２期間ＵＩとが交互に設定されている。第１期間ＡＩは、例えば、送信信号レベルのある通信可能期間である。第１期間ＡＩにおいては、基地局装置２０は無線端末１０に信号を送信可能である。基地局装置２０は無線端末１０からの信号も受信可能である。第２期間ＵＩは、例えば送信信号レベルのない通信不可期間である。第２期間ＵＩにおいては、基地局装置２０は無線端末１０に信号を送信しない。よって、基地局装置２０は、無線端末１０に制御情報も送信しないことから、無線端末１０は基地局装置２０と通信することができない。実施例１においては、第２期間ＵＩの長さを変化させることができる。例えば、図２（ｂ）のように、第２期間ＵＩを長くすることができる。第１期間ＡＩは、基地局装置２０と無線端末１０との間で制御信号を通信できる程度の長さであり、例えば数１００ミリ秒から数秒である。第２期間ＵＩは例えば数秒から数１０秒である。【００１７】
無線端末１０のモードには、例えばノーマルモード、スリープモードおよびアイドルモードがある。ノーマルモードの無線端末１０は、基地局装置２０と接続が確立され、常時通信可能である。スリープモードの無線端末１０は、基地局装置２０と接続が確立されているものの間欠的に通信可能である。つまり、スリープモードでは、基地局装置２０と通信可能な期間と通信不可能な期間がある。アイドルモードの無線端末１０は、基地局装置２０と接続されておらず、待機状態である。【００１８】
図３（ａ）および図３（ｂ）は、それぞれ基地局装置２０および無線端末１０のブロック図である。図３（ａ）のように、基地局装置２０は、送信部２２、受信部２４、判断部２６、設定部２７および送受信部２８を備えている。送信部２２は、無線端末１０に信号を送信する。受信部２４は、無線端末１０から信号を受信する。判断部２６は、基地局装置２０の圏内（セルＣ１内）の無線端末１０のモードを判断する。設定部２７は、判断部２６の判断結果に基づき第１モードおよび第２モードを設定する。また、第１モードにおいては、設定部２７の判断結果に基づき第２期間の長さを設定する。送受信部２８は、ネットワークＮ１を介し管理装置４０に信号を送受信する。【００１９】
図３（ｂ）のように、無線端末１０は、受信部１２、送信部１４および管理部１６を備えている。受信部１２は、基地局装置２０から信号を受信する。送信部１４は、基地局装置２０に信号を送信する。管理部１６は、受信部１２、送信部１４およびアプリケーションを管理する。【００２０】
図４は、基地局装置２０が第１モードに設定されているときの通信システムのブロック図である。基地局装置２０は第１モードであるため、基地局装置２０と無線端末１０とは、間欠的に通信Ｒ１１可能となる。基地局装置２０の判断部２６は、圏内（セルＣ１内）の無線端末の有無およびモードをモニタリングＭ１している。その他の構成は図１と同じであり説明を省略する。【００２１】
図５は、基地局装置２０の処理を示すフローチャートである。判断部２６は、圏内にノーマルモードの無線端末１０が存在するか判断する（ステップＳ１０）。Ｙｅｓの場合、設定部２７は、無線端末１０と常時通信可能な第２モードを設定する（ステップＳ１４）。その後、終了する。Ｎｏの場合、設定部２７は、無線端末１０と通信可能な第１期間ＡＩと無線端末１０と通信不可能な第２期間ＵＩとを交互に設ける第１モードに設定する（ステップＳ１２）。第１モードにおいては、判断部２６は、圏内にスリープモードまたはアイドルモードの無線端末１０が存在するか判断する（ステップＳ１６）。Ｙｅｓの場合、設定部２７は、第２期間ＵＩを短く設定する（ステップＳ１８）。ステップＳ１６においてＮｏの場合、設定部２７は、第２期間ＵＩを長く設定する（ステップＳ２０）。その後、終了する。また、圏内のノーマルモードの無線端末１０が存在し基地局装置２０が第２モードに設定されている。この状態で、判断部２６が、圏内のノーマルモードの無線端末１０がスリープモードまたはアイドルモードに変化したと判断し、かつ圏内にノーマルモードの無線端末１０が存在しないと判断した場合、設定部２７は、第１モードを設定し、第２期間を短く設定することもできる。【００２２】
圏内にスリープモードまたはアイドルモードの無線端末１０が存在する場合、無線端末１０から基地局装置２０への通信を要求する可能性がある。例えば、無線端末１０がスリープモードの場合、無線端末１０は基地局装置２０とネゴシエーションした所定のパターンに従い、基地局装置２０と間欠的にデータおよび制御メッセージの送受信を行なっている。この間欠的な送受信は、第１期間ＡＩの間に行なう。しかし、無線端末１０から送信されるデータが継続して発生するアプリケーションが開始された場合、無線端末１０はスリープモードからノーマルモードへの復帰を要求する。つまり、無線端末１０は基地局装置２０と常時通信可能とすることを要求し、基地局装置２０を第２モードに設定することを要求する。しかし、第２期間ＵＩが長い場合、スリープモードからノーマルモードへの復帰が遅れてしまう。第２期間ＵＩにおいては、無線端末１０は基地局装置２０と通信できないためである。【００２３】
また、例えば、無線端末１０がアイドルモードの場合、無線端末１０は、間欠的に基地局装置２０から信号を受信する。しかし、無線端末１０の位置更新要求は、無線端末１０がセルをグループ化した位置登録範囲を跨ぐ移動を行った場合に、基地局装置２０に送信する。アイドルモードの無線端末１０がノーマルモードへの復帰を要求した場合、第２期間ＵＩが長いと、アイドルモードからノーマルモードへの復帰が遅れてしまう。【００２４】
実施例１においては、判断部２６が圏内の無線端末のモードを判断する。設定部２７は、判断部２６のモードの判定結果に基づき、第２期間ＵＩの長さを設定する。これにより、第１モードにおける第２期間ＵＩの長さを適切に設定することができる。【００２５】
また、図５のステップＳ１０からＳ１４のように、設定部２７は、圏内にノーマルモードの無線端末１０が存在する場合第２モードに、圏内にノーマルモードの無線端末１０が存在しない場合第１モードに設定する。これにより、圏内にノーマルモードの無線端末１０が存在しない場合、第２期間を設けることができ、周辺との電磁波の干渉を抑制することができる。例えば、基地局装置２０と基地局装置３０の使用周波数が同じで有る場合、基地局装置２０の電波が基地局装置３０と無線端末１０との通信に干渉することを抑制できる。【００２６】
さらに、図５のステップＳ１６からＳ２０のように、第１モードが設定されている場合に、判断部２６が、圏内スリープモードの無線端末が存在すると判断した場合、設定部２７は、第２期間ＵＩを短く（例えば第１の長さに）設定する。一方、判断部２６が、圏内にスリープモードの無線端末が存在しないと判断した場合、設定部２７は、第２期間ＵＩを長く（例えば、第１の長さより長い第２の長さに）設定する。以下、第２期間ＵＩを短く設定した場合の第２期間ＵＩの長さを第１の長さ、第２期間ＵＩの長さを長く設定した場合の第２期間ＵＩの長さを第２の長さとしてもよい。【００２７】
また、第１モードが設定されている場合に、判断部２６が、圏内にアイドルモードの無線端末１０が存在すると判断した場合、設定部２７は、第２期間ＵＩを短く設定する。判断部２６が、圏内にアイドルモードの無線端末が存在しないと判断した場合、設定部２７は、第２期間ＵＩを長く設定する。【００２８】
これにより、スリープモードまたはアイドルモードからノーマルモードへの復帰を早く行なうことができる。一方、圏内にスリープモードまたはアイドルモードの無線端末がない場合、第２期間ＵＩを長くすることにより、第１期間ＡＩの頻度を小さくできる。これにより、電磁波の周辺への干渉を抑制することができる。【００２９】
なお、設定部２７は、第２期間ＵＩの長さを２段階で切り換えてもよいし、多段回で切り換えてもよい。また、設定部２７は、第２期間ＵＩの長さを連続的に変化させてもよい。
【実施例２】
【００３０】
実施例２は、スリープモードの無線端末が基地局装置の圏内に存在する場合の例である。図６は、実施例２に係る通信システムの模式図である。無線端末１０は、基地局装置２０に接続中であり、基地局装置２０を介し、ネットワークＮ０に接続された通信相手端末５０との間で、サービスフローＳＦ１に関するデータの送受信を行っている。基地局装置２０は、接続中の無線端末１０につきサービスフローＳＦ１に基づき管理テーブルを作成する。基地局装置２０は、管理テーブルに基づき、接続中の各無線端末１０の状態を管理する。その他の構成は実施例１の図４と同じであり説明を省略する。【００３１】
図７は、管理テーブルの一例を示す図である。無線端末毎にモードが記憶されている。図７では、無線端末ＭＳ１がスリープモードにある。実施例２によれば、基地局装置２０の判断部２６は、サービスフローＳＦ１の内容に基づき、圏内の各無線端末とその状態を対応させた管理テーブルを作成する。これにより、判断部２６は、簡単に無線端末１０の状態を検出することができる。
【実施例３】
【００３２】
実施例３は、アイドルモードの無線端末が基地局装置の圏内に存在する場合の例である。例えばＩＥＥＥ８０２．１６等で規定される無線端末においては、無線端末１０が通信を行っていない場合の待ち受け状態として、アイドルモードの無線端末がある。アイドルモードの無線端末１０は、グループ化された複数の基地局であるページンググループのエリア内に位置しているかを管理装置４０に登録する。管理装置４０は、例えば、ページングコントローラである。管理装置４０は、アイドルモードの無線端末１０につきページンググループ単位で位置を把握している。このため、アイドルモードの無線端末１０があるページンググループ内に位置していることは把握できるが、基地局装置２０または基地局装置３０の圏内に存在するかは把握できない。【００３３】
アイドルモードの無線端末１０は、ページンググループ間を移動する場合、管理装置４０に対し位置更新を行なう。さらに、アイドルモードの無線端末１０が同一のページンググループに留まっている場合も、周期的に位置更新を行なう。図８は、実施例３に係るシステムの模式図である。例えば、図８のように、アイドルモードの無線端末１０は、基地局装置２０に属するエリアを更新するための位置更新要求ＬＵ１１を送信する。基地局装置２０は、ネットワークＮ１を介し管理装置４０に位置更新要求ＬＵ１２を送信する。その他の構成は実施例１の図４と同じであり説明を省略する。これにより、管理装置４０は、周期的にアイドルモードの無線端末のページンググループ内での位置を把握することができる。【００３４】
図９は、実施例３に係る通信システムのシーケンス図である。無線端末１０において、周期的に位置更新を行なうタイマが満了する（ステップＳ２２）。無線端末１０は基地局装置２０に自無線端末の識別子を含んだ位置更新要求ＬＵ１１を送信する（ステップＳ２４）。基地局装置２０は、管理装置４０に、無線端末の識別子と自基地局装置２０の識別子を含んだ位置更新要求ＬＵ１２を管理装置４０に送信する（ステップＳ２６）。管理装置４０は、無線端末１０の識別子および基地局装置２０の識別子に基づき、無線端末１０の位置するページンググループを、基地局装置２０が属するページンググループに更新する（ステップＳ２８）。また、管理装置４０はステップＳ２８において、位置更新タイマをリセットしてもよい。管理装置４０は、位置更新タイマが満了するまで位置更新されないと無線端末１０が存在しないと認識することもできる。【００３５】
管理装置４０は、基地局装置２０に位置更新の完了を報告する（ステップＳ３０）。基地局装置２０の判断部２６は、第１モードの場合、第２期間ＵＩを短く設定する（ステップＳ３６）。基地局装置２０は、位置更新監視タイマを開始する（ステップＳ３８）。基地局装置２０は、無線端末１０に位置更新の完了を報告する（ステップＳ３２）。無線端末１０は、位置更新タイマをリセットする（ステップＳ３４）。なお、ステップＳ３６およびＳ３８は、ステップＳ２４の後に実行してもよい。【００３６】
実施例３によれば、判断部２６は、無線端末１０からの位置更新要求を検出した場合、圏内にアイドルモードの無線端末１０が存在すると判断することができる。これにより、判断部２６は、簡単に圏内のアイドルモモードの無線端末の存在を判断することができる。また、無線端末１０が位置更新タイマを用いることにより、無線端末１０は周期的に位置の更新を要求することができる。【００３７】
実施例３では、モードを示す情報として位置更新要求を例に説明したが、他の情報でもよい。すなわち、無線端末１０の送信部１４は、自無線端末のモードを示す情報（例えば位置更新要求）を基地局装置２０に送信する。基地局装置２０は、モードを示す情報に基づき、基地局装置２０を第１モードまたは第２モードのいずれかに設定する。また、基地局装置２０が第１モードを設定した場合、基地局装置２０は、モードを示す情報に基づき、第２期間ＵＩの長さを設定することもできる。
【実施例４】
【００３８】
実施例４は無線端末が別の基地局装置３０を介し位置更新を行なう例である。図１０は、実施例４に係る通信システムの模式図である。図１０のように、無線端末１０が基地局装置３０の近くに移動する。無線端末１０は、基地局装置３０に位置更新要求ＬＵ２１を送信する。基地局装置３０はネットワークＮ０を介し管理装置４０に位置更新要求ＬＵ２２を送信する。その他の構成は実施例１の図１と同じであり説明を省略する。【００３９】
図１１は、実施例４に係る通信システムのシーケンス図である。無線端末１０の位置更新タイマが満了する（ステップＳ２２）。無線端末１０は基地局装置３０に自無線端末の識別子を含んだ位置更新要求ＬＵ２１を送信する（ステップＳ４０）。基地局装置３０は、管理装置４０に、無線端末の識別子と自基地局装置３０の識別子を含んだ位置更新要求ＬＵ２２を管理装置４０に送信する（ステップＳ４２）。管理装置４０は、無線端末１０の識別子および基地局装置３０の識別子に基づき、無線端末１０の位置するページンググループを、基地局装置３０が属するページンググループに更新する（ステップＳ２８）。【００４０】
管理装置４０は、基地局装置３０に位置更新の完了を報告する（ステップＳ４４）。基地局装置３０は、無線端末１０に位置更新の完了を報告する（ステップＳ４６）。無線端末１０は、位置更新タイマをリセットする（ステップＳ３４）。基地局装置２０において、位置更新監視タイマが満了する（ステップＳ４８）。基地局装置２０は、第２期間ＵＩを長く設定する（ステップＳ５０）。【００４１】
実施例４によれば、図１１のステップＳ４８およびＳ５０のように、判断部２６は、図９のステップＳ３８において位置更新監視タイマをリセットしてから、一定期間無線端末１０からの位置更新要求を検出しない場合、圏内にアイドルモードの無線端末１０が存在しない判断することができる。これにより、判断部２６は、簡単に圏内にアイドルモードの無線端末が存在しないことを判断することができる。
【実施例５】
【００４２】
実施例５は、管理装置４０がページング要求を行なう例である。位置更新要求の送信を要求する送信要求として例えばページング広告メッシージを用いる例である。図１２は実施例５に係る通信システムの模式図である。前述のように、管理装置４０はページンググループ内の無線端末１０を登録している。管理装置４０は、無線端末１０に着信が有った場合や、周期的に、ページンググループに含まれる基地局装置２０および３０にページング要求メッセージＰＱ０およびＰＱ１を送信する。基地局装置２０および基地局装置３０は自身の通信エリア内にページング広告メッセージＰＶ０およびＰＶ１をブロードキャストする。アイドルモードの無線端末１０は基地局装置２０または３０からの信号を間欠的に受信しており、ページング広告メッセージＰＶ０またはＰＶ１を受信する。ページング広告メッセージには、無線端末を特定する識別子および実行すべきアクションを指定するアクションコードが含まれている。アクションコードには、例えば位置更新およびネットワークへの接続等がある。【００４３】
図１２において、無線端末１０は基地局装置２０から位置更新要求の報告を要求するページング広告メッセージを受信する。その後、実施例３と同様に、無線端末１０は、管理装置４０に位置更新要求を送信する。【００４４】
図１３は、実施例５に係る通信システムのシーケンス図である。管理装置４０は、基地局装置３０および２０にページング要求メッセージＰＱ０およびＰＱ１を送信する（ステップＳ５２およびＳ５６）。基地局装置３０および２０は、それぞれ通信エリア内にページング広告メッセージＰＶ０およびＰＶ１を送信する（ステップＳ５４およびＳ５８）。アイドルモードの無線端末１０は、基地局装置２０のセルＣ１内に属している。アイドルモードの無線端末１０は、ページング広告メッセージを受信すると、属する基地局装置２０にページング応答メッセージを送信する（ステップＳ６０）。基地局装置２０は、管理装置４０にページング応答メッセージを送信する（ステップＳ６２）。ページング応答メッセージは、例えば実施例３の位置更新要求ＬＵ１１、ＬＵ１２である。管理装置４０は、無線端末１０の位置更新を行なう（ステップＳ２８）。基地局装置２０は、無線端末１０からページング応答メッセージを受信すると、第２期間ＵＩを短く設定する（ステップＳ６４）。基地局装置２０は、位置更新監視タイマを開始する（ステップＳ６６）。【００４５】
図１４は、実施例５に係る通信システムの別のシーケンス図である。ステップＳ５２からステップＳ５８は図１３と同じであり説明を省略する。基地局装置２０の判断部２６は、ステップＳ５８において、ページング広告メッセージをブロードキャストすると、ページング応答待ちタイマをリセットする（ステップＳ５９）。アイドルモードの無線端末１０は、基地局装置３０のセルＣ０内に属している。アイドルモードの無線端末１０は、ページング広告メッセージを受信すると、属する基地局装置３０にページング応答メッセージを送信する（ステップＳ６８）。基地局装置３０は、管理装置４０にページング応答メッセージを送信する（ステップＳ７０）。基地局装置２０は、ステップＳ５９のページング応答待ちタイマのリセットから一定期間経過すると、ページング応答待ちタイマの満了を検出する（ステップＳ７２）。ステップＳ５９のページング基地局装置２０の設定部２７は、第２期間ＵＩを長く設定する（ステップＳ７４）。【００４６】
実施例５によれば、基地局装置２０の送信部２２は、ステップＳ５８のように、無線端末１０に位置更新要求の送信を要求する送信要求（例えば、ページング応答メッセージ）を送信する。判断部２６は、無線端末１０からのページング応答メッセージ（例えば位置更新要求）を検出すると、圏内にアイドルモードの無線端末１０が存在すると判断する。ステップＳ６４のように、設定部２７は、第２期間ＵＩを短く設定する。また、判断部２６は、図１４のステップＳ７２およびＳ７４のように、一定期間位置更新要求を検出しない場合、圏内にアイドルモードの無線端末１０が存在しないと判断し、設定部２７は、第２期間ＵＩを長く設定する。これにより、判断部２６は、圏内のアイドルモードの無線端末の有無を簡単に判断することができる。
【実施例６】
【００４７】
実施例６は、アイドルモードの無線端末にページングを行なう別の例である。図１５は、実施例６に係る通信システムの模式図である。図１５のように、基地局装置２０は、実施例６の図１２のように管理装置４０からページング要求ＰＱ１がない場合においても、独自にページング広告メッセージＰＶ１２をセルＣ１内にブロードキャストする。この独自のページング広告メッセージをここではダミーページングという。【００４８】
図１６は、実施例６に係る通信システムのシーケンス図である。基地局装置２０は、ダミーのページング広告メッセージＰＶ１２をブロードキャストする（ステップＳ７６）。判断部２６は、ページング応答待ちタイマをリセットする（ステップＳ７７）。アイドルモードの無線端末１０が基地局装置２０の圏内にない場合、無線端末１０は無反応である。基地局装置２０の判断部２６は、ページング広告メッセージをブロードキャストして一定時間経過すると、ページング応答待ちタイマ満了とする（ステップＳ７８）。判断部２６は、圏内にアイドルモードの無線端末は存在しないと判断する。設定部２７は、第２期間ＵＩを長く設定する（ステップＳ８０）。【００４９】
図１７は、実施例６に係る通信システムの別のシーケンス図である。基地局装置２０は、ダミーのページング広告メッセージＰＶ１２をブロードキャストする（ステップＳ８２）。アイドルモードの無線端末１０は基地局装置２０の圏内に存在する。無線端末１０は基地局装置２０にページング応答メッセージを送信する（ステップＳ８４）。無線端末１０は、位置更新タイマをリセットする（ステップＳ８６）。ステップＳ２６〜Ｓ３０、Ｓ３６、Ｓ３８は図９と同じであり説明を省略する。【００５０】
実施例６によれば、基地局装置２０は、定期的または不定期に、独自にダミーページング広告をブロードキャストし、無線端末１０が自身の圏内に存在するか確認することができる。また、例えば、基地局装置２０の電源を投入した後、圏内のアイドルモードの無線端末１０を確認するために、ダミーページングを行なうこともできる。【００５１】
例えば、基地局装置２０が、特定の無線端末１０と通信可能で有る場合、基地局装置２０は接続可能な無線端末１０の識別子のリストを備えている。基地局装置２０は、リストに含まれる無線端末１０に限定してダミーページングを行なうことができる。この場合、管理装置４０のページング要求に基づくページング広告と同様なため、同じ機能を用いダミーページングを行なうことができる。【００５２】
例えば、基地局装置２０は、特定の無線端末１０に限らず不特定の無線端末と通信可能で有る場合もある。この場合、不特定多数の無線端末を意味する特殊な識別子を用い、全ての無線端末にダミーページングを行なうこともできる。【００５３】
このように、送信部２２は、接続を許可する所定の無線端末１０に対し、送信要求（例えばページング広告メッセージ）を送信することができる。また、送信部２２は、不特定多数の無線端末に対し、送信要求（例えばページング広告メッセージ）を送信することもできる。この場合、無線端末１０の受信部１２は、位置更新要求の送信を無線端末１０に対して要求する送信要求を、基地局装置２０から受信する。送信部１４は、受信した送信要求が不特定の無線端末に対するものであるとき、位置更新要求を基地局装置２０に送信することができる。
【実施例７】
【００５４】
実施例７は、接続中の無線端末がハンドオーバした場合の例である。図１８は、実施例７に係る通信システムの模式図である。図１８のように、基地局装置２０に接続中の無線端末１０が基地局装置２０のセルＣ１から遠ざかると、基地局装置２０からの無線信号の受信レベルが基地局装置３０からの無線信号レベルを下回る。無線端末１０は、基地局装置２０にハンドオーバ実行メッセージＨＯ１を送信する。これにより、無線端末１０は、基地局装置２０に他の基地局装置へのハンドオーバ実行を通知する。無線端末１０は、基地局装置３０に接続要求メッセージＲＮＧ０を送信する。このとき、基地局装置３０の判断部２６は、圏内にノーマルモードの無線端末がなくなったと判断する。【００５５】
図１９は、実施例７に係る通信システムのシーケンス図である。基地局装置２０の圏内にノーマルモードの無線端末１０が存在するため、基地局装置２０は第２モードに設定されている。ノーマルモードの無線端末１０が、基地局装置２０から遠ざかると、無線端末１０は基地局装置２０にハンドオーバ要求を行なう（ステップＳ９０）。基地局装置２０がハンドオーバを要求する場合は、ステップＳ９０は送信されなくともよい。基地局装置２０は、ハンドオーバ先となる基地局装置３０との間で、制御メッセージを交換する（ステップＳ９２）。これにより、無線端末１０に関するコンテキスト情報の転送および接続要求の際使用する無線リソースの割り当てを行ってもよい。【００５６】
基地局装置２０は、無線端末１０にハンドオーバ指示メッセージを送信する（ステップＳ９４）。これにより、基地局装置２０は、無線端末１０に、ハンドオーバ実行許可、ハンドオーバ先の基地局およびハンドオーバに割り当てられた無線リソース等を通知する。無線端末１０は、基地局装置２０にハンドオーバ実行メッセージを送信する（ステップＳ９６）。これにより、無線端末１０はハンドオーバを開始する。基地局装置２０は、ハンドオーバ実行メッセージを受信すると、切断タイマを開始する（ステップＳ１００）。切断タイマは、無線端末１０との送受信を切断するまでのタイマである。基地局装置２０の設定部２７は、ハンドオーバ実行メッセージを受信した場合に、第１モードとし、第２期間ＵＩは短く設定してもよい（ステップＳ１０２）。【００５７】
無線端末１０は、接続先を基地局装置３０に切り換え、基地局装置３０からの無線信号を受信して、同期の確立および接続パラメータの取得を行なう（ステップＳ９８）。無線端末１０は、基地局装置３０に接続要求を送信する（ステップＳ１０４）。このときステップＳ９４で取得した無線リソースを用いてもよい。基地局装置３０は、無線端末１０に、接続応答を送信する（ステップＳ１０６）。これにより、基地局装置３０は無線端末１０に、接続可否、送信パワーおよび送信タイミングの調整パラメータ等を送信する。無線端末１０と基地局装置３０とは、さらに、認証および動作パラメータのネゴシエーション等、接続の初期設定を行なう（ステップＳ１０８）。基地局装置３０と無線端末１０との接続が完了すると、基地局装置３０は、基地局装置２０にハンドオーバの完了を通知する（ステップＳ１１０）。【００５８】
基地局装置２０は、ハンドオーバ完了を受信すると、ステップＳ１００で開始した切断タイマを停止する（ステップＳ１１２）。これにより、基地局装置２０は、無線端末１０への無線リソースの割り当てを停止する。なお、ハンドオーバ等の失敗等の理由で、基地局装置２０がステップＳ１１０のハンドオーバ完了を受信でない場合、切断タイマが満了すれば、無線端末１０への無線リソースの割り当てを停止する。基地局装置２０の判断部２６は、圏内のノーマルモードの無線端末が存在しないと判断する。また、圏内にスリープモードまたはアイドルモードの無線端末１０が存在しなければ、設定部２７は、第２期間ＵＩを長く設定する（ステップＳ１１４）。なお、ステップＳ１０２において、設定部２７が、第２モードから第１モードに設定を変更している場合、設定部２７は、第１モードのまま第２期間ＵＩを長く設定する。一方、ステップＳ１０２において、設定部２７が、第２モードから第１モードに設定を変更していない場合、設定部２７は、第１モードに設定を変更し、かつ第２期間ＵＩを長く設定する。【００５９】
実施例７のように、判断部２６が、圏内のノーマルモードの無線端末１０が他の基地局にハンドオーバしたと判断した場合であり、かつ圏内に他のノーマルモードの無線端末がない場合、設定部２７は、第１モードに設定する。また、圏内にスリープモードまたはアイドルモードの無線端末１０が存在しなければ、設定部２７は、第２期間ＵＩを長く設定することができる。
【実施例８】
【００６０】
実施例８は、実施例２から実施例７を含む例である。図２０は、実施例８に係る基地局装置２０の機能ブロック図である。図２０のように、基地局装置２０は、アンテナ９９を備えている。アンテナ９９は、無線端末と電波の送受信を行なう。アンテナ９９には、送受信を行なうための無線インターフェース８１が接続される。無線インターフェース８１は、例えばＷｉＭＡＸネットワークに用いられる基地局装置の場合、ＩＥＥＥ８０２．１６標準に準拠し、ＯＦＤＭ（Orthogonal Frequency Division Multiplexing）やＯＦＤＭＡ（Orthogonal Frequency Division Multiple Access）による無線フレームの送信が行なわれる。実施例１の送信部２２および受信部２４は、例えば無線インターフェース８１に対応する。【００６１】
ネットワークインターフェース８５は、ネットワークＮ１からＤＬ（Down Link）パケット（無線端末１０向けのパケット）を受信する。またＵＬ（Up Link）パケット（無線通信キャリア網向けのパケット）を送信する。パケット識別／バッファ８４は、無線端末１０およびコネクション単位でパケットを識別し、識別したパケットをＳＤＵ（Service Data Unit）としてバッファに一時保管する。スケジューラ８６は、バッファに保管されたパケットをチェックし、ＤＬサブフレーム内のスロット割当てを行なう。つまり送信待ちのＳＤＵに対し送信スロットの割当てを行なう。例えば、ＷｉＭＡＸの場合は、送信スロット割当ての結果として、ＭＡＰ情報が作成される。ＰＤＵ（Protocol Data Unit）生成部８３は、送信スロットに割り当てられたＳＤＵをＰＤＵに変換する。これにより、ＭＡＣ（Media Access Control）ヘッダやＣＲＣ（Cyclic Redundancy Check）コードが付与される。送信処理部８２は、ＰＤＵの符号化、変調、無線フレームの生成を行なう。処理された無線信号は、無線インターフェース８１からアンテナ９９を介し無線端末に送信される。【００６２】
無線インターフェース８１で受信されたＵＬの無線信号は、受信処理部８７に入力する。受信処理部８７は、無線信号に対し、受信フレームの抽出、復調、複合化を行なう。識別部８８は、制御メッセージとユーザデータとの振り分けを行なう。ＳＤＵ再生部８９は、ユーザデータをＰＤＵからＳＤＵに変換する。これにより、ＰＤＵからデフラグメント、デパッキング、ＭＡＣヘッダおよびＣＲＣコードの除去を行なう。ネットワークインターフェース８５は、ＳＤＵをネットワークＮ１に送信する。【００６３】
端末管理部９０は、無線端末１０の接続または切断処理、接続中の無線端末およびその状態管理を行なう。また、端末管理部９０は、ページング処理部９１、スリープモード管理部９２およびハンドオーバ処理部９３を含む。ページング処理部９１は、実施例５のように、ネットワークインターフェースを介して管理装置４０（ページングコントローラ）から受信したページング要求メッセージに基づきページング広告メッセージを生成する。ページング処理部９１は、ページング広告メッセージを無線インターフェース８１を介しブロードキャストする。また、実施例６のように、ページング処理部９１は、無線端末リストまたは不特定多数の無線端末を意味する識別子を用いダミーページングする。【００６４】
スリープモード管理部９２は、実施例２のように、無線端末１０におけるスリープモードの開始および停止の制御、スリープモードなどのパラメータの管理およびスケジューラへの設定を行なう。例えば、スリープモード管理部９２は、通信可能期間であるリスニングウインドおよび通信不可能期間であるスリープウインド等のパラメータの管理を行なう。ハンドオーバ処理部９３は、実施例７のように、ハンドオーバ先候補となる基地局（例えば基地局装置３０）とのネゴシエーションおよび無線端末１へのハンドオーバ指示およびハンドオーバ実行後の切り離しを行なう。【００６５】
監視部９４は、端末管理部９０を監視し、ノーマルモードからスリープモードまたはアイドルモードへの遷移、ページングに対する応答の有無、ハンドオーバの実行および完了などのイベントを検出する。実施例１の判断部２６は、例えば端末管理部９０および監視部９４である。【００６６】
実施例１の設定部２７は、例えば設定部９７である。設定部２７は、監視部９４により検出された上記イベントをトリガとして、第１モードおよび第２モードの設定および第２期間の設定を行なう。【００６７】
制御部９８は、設定部９７により設定されたモードおよび期間に基づいて無線インターフェース８１からの信号の送受信がおこなわれるように、スケジューラ８６を制御する。【００６８】
記憶部９６には、接続中の無線端末１０に関する情報、接続を許可する無線端末１０のリスト、不特定多数の無線端末を意味する識別子等が記憶されている。【００６９】
図２１は、実施例８に係る無線端末の機能ブロック図である。図２１のように、無線端末１０は、アンテナ７７、無線インターフェース６１、アプリケーション６５、スケジューラ６６、送信処理部６２、ＰＤＵ生成部６３、送信データバッファ６４、受信処理部６７、識別部６８およびＳＤＵ再生部６９を備えている。アプリケーション６５は、無線端末１０内の電話機能や通信機能等のアプリケーションを行なう。アプリケーション６５からのデータ送信およびデータ受信の際の各構成の動作は、図２０の基地局装置２０の対応する構成の動作と同じであり説明を省略する。【００７０】
実施例１の図３の管理部１６は例えば、図２１の管理部７０に対応する。基地局装置２０から受信した制御メッセージは、識別部６８によって管理部７０に振り分けられる。管理部７０は、基地局装置２０との接続または切断処理の管理を行なう。さらに、管理部７０は、アイドルモード管理部７１、スリープモード管理部７４およびハンドオーバ管理部７５を備えている。アイドルモード管理部７１は、無線端末１０におけるアイドルモードの開始および終了を行なう。アイドルモード管理部７１は、また、抽出部７２およびページング応答処理部７３を備えている。実施例６のように、抽出部７２は、受信したページング広告メッセージから、ページング対象無線端末１０の識別子およびアクションコードを抽出する。ページング応答処理部７３は、識別子が自無線端末を示す場合または不特定多数の無線端末を示す場合、アクションコードに応じた応答処理を行なう。例えば、登録更新要求を基地局装置に送信する。【００７１】
スリープモード管理部７４は、無線端末１０におけるスリープモードの開始または停止の制御、スリープの動作パラメータの管理およびスケジューラ６６の管理を行なう。ハンドオーバ処理部７５は、実施例７のように、基地局装置（例えば基地局装置３０）へのハンドオーバ要求及びハンドオーバ実行メッセージの送信、および接続先基地局装置（例えば基地局装置３０）の切り換え、ハンドオーバ先基地局装置との再接続処理を行なう。【００７２】
記憶部７６には、接続中の基地局装置に関する情報、接続を許可されている基地局装置のリスト、不特定多数の無線端末を意味する識別子等が記憶されている。【００７３】
図２２は、実施例８の基地局装置２０の処理を示すフローチャートである。設定部９７が第２モードを設定している場合から開始される。監視部９４は、端末管理部９０を監視し、圏内に接続中のノーマルモードの無線端末が存在するか判断する（ステップＳ１２０）。Ｙｅｓの場合、監視部９４は、端末管理部９０のページング処理部９１およびスリープモード管理部９２を監視し、ノーマルモードの無線端末がスリープモードまたはアイドルモードを開始したかを判断する（ステップＳ１２２）。Ｙｅｓの場合、監視部９４は、他にノーマルモードで接続中の無線端末が存在するか判断する（ステップＳ１２４）。Ｎｏの場合、設定部９７は、第１モードを設定し第２期間ＵＩを短く設定する（ステップＳ１２６）。ステップＳ１２４においてＹｅｓの場合、圏内にノーマルモードの無線端末が存在するため、設定部９７は第２モードを維持する。【００７４】
ステップＳ１２２においてＮｏの場合、監視部９４は、ハンドオーバ処理部９３を監視し、ノーマルモードの無線端末がハンドオーバを実行したか判断する（ステップＳ１２８）。Ｙｅｓの場合、監視部９４は、圏内に他のノーマルモードの無線端末が存在するか判断する（ステップＳ１３０）。Ｎｏの場合、監視部９４は、圏内のアイドルモードの無線端末の有無を検出するため、ページング処理部９１にダミーページングをさせる（ステップＳ１３２）。監視部９４は応答の有無を検出する（ステップＳ１３４）。Ｙｅｓの場合、圏内にノーマルモードの無線端末はないがアイドルモードの無線端末が存在するため、設定部９７は、第１モードを設定し、第２期間ＵＩを短く設定する（ステップＳ１３６）。ステップＳ１３４においてＮｏの場合、圏内にノーマルモードの無線端末もアイドルモードの無線端末も存在しないため、設定部９７は、第１モードを設定し、第２期間ＵＩを長く設定する（ステップＳ１３８）。【００７５】
ステップＳ１２８においてＮｏ、またはステップＳ１３０においてＹｅｓの場合、圏内に接続中のノーマルモードの無線端末が存在するため、設定部９７は第２モードを維持する。【００７６】
ステップＳ１２０においてＮｏの場合、監視部９４は、圏内のアイドルモードの無線端末の有無を検出するため、ページング処理部９１にダミーページングをさせる（ステップＳ１４０）。ステップＳ１４２からＳ１４６は、それぞれステップＳ１３４からＳ１３８と同じであり、説明を省略する。【００７７】
図２３は、実施例８の基地局装置２０の処理を示すフローチャートである。設定部９７が第１モードを設定している場合から開始される。すなわち、監視部９４は圏内に接続中のノーマルモードの無線端末は存在しないと判断している。監視部９４は、スリープモード管理部９２を監視し、圏内にスリープモードの無線端末が存在するか判断する（ステップＳ１５０）。Ｙｅｓの場合、設定部９７は、第２期間ＵＩが長く設定されているか判断する（ステップＳ１５２）。Ｙｅｓの場合、設定部９７は、第２期間を短く設定する（ステップＳ１５４）。ステップＳ１５２においてＮｏの場合、既に第２期間ＵＩは短く設定されているため、設定部９７は、短い第２期間ＵＩの設定を維持する。【００７８】
ステップＳ１５０においてＮｏの場合、監視部９４は、ページング処理部９１に他の装置（例えば管理装置４０）からページング要求メッセージを受信したかを判断する（ステップＳ１５６）。Ｙｅｓの場合、監視部９４は、ページング処理部９１に通常のページング処理を行なわせる（ステップＳ１５８）。すなわち、圏内にページング広告メッセージをブロードキャストする。監視部９４は、ページング処理部９１が無線端末１０からページング応答メッセージを受信したか判断する（ステップＳ１６０）。Ｙｅｓの場合、監視部９４は、ページング処理部９１に他の装置（例えば管理装置４０）にページング応答メッセージを送信させる（ステップＳ１６２）。圏内にアイドルモードの無線端末が存在するため、設定部９７は第２期間ＵＩを短く設定する。ステップＳ１６０においてＮｏの場合、圏内にアイドルモードの無線端末は存在しないため、設定部９７は第２期間ＵＩを長く設定する。【００７９】
ステップＳ１５６においてＮｏの場合、監視部９４は、端末管理部９０に無線端末から周期的な位置更新があるか判断する（ステップＳ１６８）。Ｙｅｓの場合、圏内にアイドルモードの無線端末が存在するため、設定部９７は、第２期間ＵＩを短く設定する（ステップＳ１７３）。ステップＳ１６８においてＮｏの場合、監視部９４はページング処理部９１にダミーページングを実行させる（ステップＳ１７０）。監視部９４は、ページング処理部９１に無線端末から応答があったかを判断する（ステップＳ１７２）。Ｙｅｓの場合、設定部９７は第２期間ＵＩを短く設定する。Ｎｏの場合、設定部９７は、第２期間ＵＩを長く設定する。【００８０】
図２４は、実施例８の無線端末の処理を示すフローチャートである。アイドルモード管理部７１は、ページング広告メッセージを受信する（ステップＳ１８０）。抽出部７２は、識別子を抽出する。ページング応答処理部７３は、識別子が自身の無線端末を示す場合、または識別子が不特定多数を意味する識別子であるか判断する（ステップＳ１８４）。Ｎｏの場合、終了する。Ｙｅｓの場合、ページング応答処理部７３は、ページング応答メッセージを送信する（ステップＳ１８６）。ページング応答処理部７３は、ページング広告メッセージに基地局装置を介したネットワークへの接続指示があるかを判断する（ステップＳ１８８）。Ｙｅｓの場合、ページング応答処理部７３は、基地局装置に接続する（ステップＳ１９０）。Ｎｏの場合、終了する。【００８１】
実施例８のように、基地局装置２０は、実施例２から実施例７に係る基地局装置２０の機能を全て備えていてもよいし、実施例２から実施例７のうち一部の機能を備えていてもよい。【００８２】
実施例１から実施例８において、基地局装置２０としてフェムト基地局、基地局装置３０としてマクロ基地局の例を説明したが、基地局装置２０および３０は、その他の基地局でもよい。【００８３】
以上、本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００８４】
１０          無線端末
１２          受信部
１４          送信部
１６          管理部
２０          基地局装置
２２          送信部
２４          受信部
２６          判断部
２７          設定部
３０          基地局装置
４０          管理装置
【図１】
0005403063.tif 000002
【図２】
0005403063.tif 000003
【図３】
0005403063.tif 000004
【図４】
0005403063.tif 000005
【図５】
0005403063.tif 000006
【図６】
0005403063.tif 000007
【図７】
0005403063.tif 000008
【図８】
0005403063.tif 000009
【図９】
0005403063.tif 000010
【図１０】
0005403063.tif 000011
【図１１】
0005403063.tif 000012
【図１２】
0005403063.tif 000013
【図１３】
0005403063.tif 000014
【図１４】
0005403063.tif 000015
【図１５】
0005403063.tif 000016
【図１６】
0005403063.tif 000017
【図１７】
0005403063.tif 000018
【図１８】
0005403063.tif 000019
【図１９】
0005403063.tif 000020
【図２０】
0005403063.tif 000021
【図２１】
0005403063.tif 000022
【図２２】
0005403063.tif 000023
【図２３】
0005403063.tif 000024
【図２４】
0005403063.tif 000025